(57)【要約】【課題】汎用な材料を用いて、アンテナコイルの電気的な特性の変化を抑えることにより、コストを抑えつつ通信特性が良好なアンテナモジュールを提供する。【解決手段】開口部１４ａを有する矩形状のコア基板１４と、コア基板１４の外周面１４ｂに平角線１１１が捲装されることで形成され、磁界を発信させるリーダーライター２のアンテナ２ａと誘導結合されて通信可能となるアンテナコイル１１と、コア基板１４の外周面１４ｂに形成されたアンテナコイル１１に重畳され、リーダーライター２のアンテナ２ａから発信される磁界をアンテナコイル１１に引き込む磁性膜１２とを備える。【選択図】  図２
2010147912.tif 000002
【特許請求の範囲】
【請求項１】
開口部を有する矩形状のコア基板と、
上記コア基板の外周面に平角線が捲装されることで形成され、磁界を発信させる発信器と誘導結合されて通信可能となるアンテナコイルと、
上記コア基板の外周面に形成されたアンテナコイルに重畳され、上記発信器から発信される磁界を上記アンテナコイルに引き込む磁性膜とを備えるアンテナモジュール。
【請求項２】
上記アンテナコイルは、上記コア基板の外周面に平角線が、該平角線に被覆された絶縁材の膜厚と、該平角線を被覆する絶縁材の表面に塗布される接着剤の膜厚とに応じて、所定の線間隔で離間して捲装されることで形成される請求項１記載のアンテナモジュール。
【請求項３】
上記アンテナコイルは、上記コア基板の外周面に平角線が、該平角線に被覆された絶縁層の膜厚に応じて、所定の線間隔で離間して捲装されることで形成される請求項１又は２記載のアンテナモジュール。
【請求項４】
上記アンテナコイルは、上記平角線の長辺が上記磁界の方向と平行して、上記コア基板の外周面に捲装されることで形成される請求項１乃至３のうち何れか１項記載のアンテナモジュール。
【請求項５】
上記磁界に対して直交する当該モジュールの表面形状は、４２．５［ｍｍ］×２５［ｍｍ］であり、
上記平角線は、その短辺が０．０５［ｍｍ］乃至０．３［ｍｍ］、長辺が０．２［ｍｍ］乃至１［ｍｍ］であり、
上記アンテナコイルは、上記コア基板の外周面に平角線が、その長辺で規定される表面を基準とした線間隔が７０［μｍ］乃至１５０［μｍ］で離間して捲装されることで形成され、発信周波数が１３．５６［ＭＨｚ］の磁界を発信する上記発信器と誘導結合されて通信可能となる請求項４記載のアンテナモジュール。
【請求項６】
磁界を発信する発信器と誘導結合されて通信可能となるアンテナコイルを備えるアンテナモジュールの製造方法において、
開口部を有する矩形状のコア基板に、上記発信器から発信される磁界をアンテナコイルに引き込む磁性膜を重畳し、
上記コア基板の外周面に、平角線を捲装して上記アンテナコイルを形成するアンテナモジュールの製造方法。
【発明の詳細な説明】
【技術分野】
【０００１】
本発明は、磁界を発信する発信器との間で発生する電磁誘導により通信可能状態となるアンテナモジュール、及び、このアンテナモジュールの製造方法に関する。
【背景技術】
【０００２】
ＲＦＩＤ（Radio  Frequency  Identification）用のアンテナモジュールとして、次のような数種類のものが従来から用いられている。第１に、ＦＰＣ（FlexiblePrinted Circuit)やリジット基板を用いてコイルパターンを平面上に作成したアンテナモジュールがある。第２に、丸線を巻き線にしてコイルを作成したアンテナモジュールがある。第３に、ＦＰＣやＦＦＣ(Flexible Flat Cable)などをハーネスにして、そのハーネスをリング状にしてコイルを形成したアンテナモジュールがある。
【０００３】
上述したアンテナモジュールは、部品の配置、形状を考慮した設計により、適宜選択されて、電子機器に組み込まれて使用されている。
【０００４】
また、ＲＦＩＤを用いたＩＣカードに組み込まれるアンテナモジュールに要求される機能としては、カードの両面で使用できる事が好ましい。また、携帯電話機などの電子機器に組み込まれる形態では、他の部品の配置を考慮して、この機器の側面にリボン状のアンテナコイルとして配置される場合がある。（例えば、特許文献１を参照。）。
【０００５】
電子機器内にアンテナコイルを配置する場合、電子機器の金属製筐体や内部部品に使用されている金属の影響を受けないようにするため、透磁率の比較的高い磁性シートをアンテナコイルまたはその周辺に取り付けている。より具体的には、ＲＦＩＤ用として用いられる代表的な周波数１３．５６ＭＨｚで透磁率が３０［μＨ／ｍ］から８０［μＨ／ｍ］程度の磁気特性を有する磁性シートをアンテナコイルまたはその周辺に取り付けることによって、アンテナコイルから発生する磁界周囲に配置されている金属内での渦電流の発生を防ぎ、良好な通信性能がえられるよう、形状や組合せ等の最適化が行われている。
【０００６】
【特許文献１】特開２００４−３６４１９９号公報
【発明の開示】
【発明が解決しようとする課題】
【０００７】
上述したように、従来から、電子機器の形状や金属等の部品の影響を考慮してアンテナモジュールの設計を行っているが、機器の形状の複雑化や小型化のために、アンテナモジュールのサイズが十分に確保できない場合がある。その結果として通信性能が要求に満たないため、より通信特性の良好なアンテナモジュールが求められている。
【０００８】
より具体的には、アンテナコイルのインダクタンスなどの電気的な特性が変化することで、アンテナコイルとＩＣ回路とからなる並列共振回路において、通信周波数のずれが発生し通信性能の劣化がおこる。したがって、この観点から電気的な特性変化の少ないという意味において信頼性能が高くなるような設計が求められる。
【０００９】
また、アンテナモジュールの価格の低減が求められており、より汎用な材料から高性能なアンテナモジュールを開発することが求められている。
【００１０】
本発明は、このような実情に鑑みて提案されたものであり、汎用な材料を用いて、アンテナコイルの電気的な特性の変化を抑えることにより、コストを抑えつつ通信特性が良好なアンテナモジュール、及び、このアンテナモジュールの製造方法を提供することを目的とする。
【課題を解決するための手段】
【００１１】
上述した課題を解決するための手段として、本発明に係るアンテナモジュールは、開口部を有する矩形状のコア基板と、コア基板の外周面に平角線が捲装されることで形成され、磁界を発信させる発信器と誘導結合されて通信可能となるアンテナコイルと、コア基板の外周面に形成されたアンテナコイルに重畳され、発信器から発信される磁界をアンテナコイルに引き込む磁性膜とを備える。
【００１２】
また、本発明に係るアンテナモジュールの製造方法は、磁界を発信する発信器と誘導結合されて通信可能となるアンテナコイルを備えるアンテナモジュールの製造方法において、開口部を有する矩形状のコア基板に、発信器から発信される磁界をアンテナコイルに引き込む磁性膜を重畳し、上記コア基板の外周面に、平角線を捲装して上記アンテナコイルを形成する。
【発明の効果】
【００１３】
本発明は、コア基板の外周面に平角線が捲装されることで、形状の安定化が図られたアンテナコイルを形成することができる。したがって、本発明は、汎用な材料を用いて、例えば変形等に起因するアンテナコイルの電気的な特性の変化を抑えることができ、結果として、コストを抑えつつ通信特性が良好なアンテナモジュールを提供することができる。  
【発明を実施するための最良の形態】
【００１４】
以下、本発明を実施するための最良の形態について、図面を参照しながら詳細に説明する。なお、本発明は、以下の実施形態のみに限定されるものではなく、本発明の要旨を逸脱しない範囲内において種々の変更が可能であることは勿論である。
【００１５】
＜無線通信システム＞
本発明が適用されたアンテナモジュールは、電磁波を発信する発信器との間で発生する電磁誘導により通信可能状態となる装置であって、例えば図１に示すようなＲＦＩＤ（Radio  Frequency  Identification）用の無線通信システム１００に組み込まれて使用される。
【００１６】
無線通信システム１００は、本発明が適用されたアンテナモジュール１と、アンテナモジュール１に対するアクセスを行うリーダーライター２とからなる。
【００１７】
リーダーライター２は、アンテナモジュール１に磁界を発信する発信器として機能し、具体的には、アンテナモジュール１に向けて磁界を発信するアンテナ２ａと、アンテナ２ａを介して誘導結合されたアンテナモジュール１と通信を行う制御基板２ｂとを備える。
【００１８】
すなわち、リーダーライター２は、アンテナ２ａと電気的に接続された制御基板２ｂが配設されている。この制御基板２ｂには、一又は複数の集積回路チップ等の電子部品からなる制御回路が実装されている。この制御回路は、アンテナモジュール１から受信されたデータに基づいて、各種の処理を実行する。例えば、制御回路は、アンテナモジュール１にデータを書き込む場合、データを符号化し、符号化したデータに基づいて、所定の周波数（例えば、１３．５６ＭＨｚ）の搬送波を変調し、変調した変調信号を増幅し、増幅した変調信号でアンテナ２ａを駆動する。また、制御回路は、アンテナモジュール１からデータを読み出す場合、アンテナ２ａで受信されたデータの変調信号を増幅し、増幅したデータの変調信号を復調し、復調したデータを復号する。なお、制御回路では、一般的なリーダーライターで用いられる符号化方式及び変調方式が用いられ、例えば、マンチェスタ符号化方式やＡＳＫ（Amplitude Shift Keying）変調方式が用いられている。
【００１９】
このようにして電子機器に組み込まれるアンテナモジュール１は、誘導結合されたリーダーライター２との間で通信可能となるアンテナコイル１１と、磁界をアンテナコイル１１に引き込むようにアンテナコイル１１と重畳する位置に形成された磁性膜１２と、アンテナコイル１１に流れる電流により駆動してリーダーライター２との間で通信を行う通信処理部１３とを備える。
【００２０】
アンテナコイル１１は、例えば銅などの導電性の高い平角線を捲装することによって形成され、ユーザ等によりアンテナコイル１１がリーダーライター２から発信される磁界を平角線が受けるようにかざされると、リーダーライター２と誘導結合によって磁気的に結合され、変調された電磁波を受信して、接続端子１１ａを介して受信信号を通信処理部１３に供給する。
【００２１】
磁性膜１２は、このアンテナコイル１１と重畳する位置に形成され、リーダーライター２から発信される磁界をアンテナコイル１１に引き込む。具体的に、磁性膜１２は、携帯通信用機器内部に設けられた金属部品がリーダーライター２から発信される磁界を跳ね返すのを抑制するために、磁界が放射されてくる方向の反対側にはりつけた構造をとる。磁性膜１２としては、例えば、Ｆｅ−Ｓｉ−Ｃｒ系、Ｆｅ−Ｓｉ−Ａｌ系、Ｆｅ−Ｎｉ系、アモルファス系などのメタル扁平粉が高分子材に配向圧縮された磁性シート、成型品またはフェライト材が使用される。
【００２２】
通信処理部１３は、アンテナコイル１１に流れる電流により駆動し、リーダーライター２との間で通信を行う。具体的には、通信処理部１３は、受信された変調信号を復調し、復調したデータを復号して、復号したデータを、当該通信処理部１３が有する内部メモリに書き込む。また、通信処理部１３は、リーダーライター２に送信するデータを内部メモリから読み出し、読み出したデータを符号化し、符号化したデータに基づいて搬送波を変調し、誘導結合によって磁気的に結合されたアンテナコイル１１を介して変調された電波をリーダーライター２に送信する。
【００２３】
以上のような構成からなる無線通信システム１００において、本実施形態に係るアンテナモジュール１は、汎用な材料を用いて、アンテナコイル１１のインダクタンス等の電気的な特性の変化を抑えることによって、コストを抑えつつ通信特性を良好に確保するため、図２に示すような構成を有している。以下では、アンテナモジュール１に係る構成に注目して説明する。
【００２４】
＜アンテナモジュールの構成＞
図２（Ａ）は、リーダーライター２から発信される磁界のベクトルＢに平行した厚さ方向に、アンテナコイル１１と磁性膜１２が積層されるアンテナモジュール１の断面図である。また、図２（Ｂ）、図２（Ｃ）は、それぞれ＋Ｂ方向、−Ｂ方向から臨まれるアンテナモジュール１の構成を示す図である。さらに、図２（Ｄ）は、図２（Ａ）で示されるアンテナコイル１１の拡大図である。
【００２５】
すなわち、アンテナモジュール１は、図２（Ａ）〜図２（Ｄ）に示すように、開口部１４ａを有する矩形状のコア基板１４を備え、アンテナモジュール１のアンテナコイル１１が、コア基板１４の外周面１４ｂに平角線１１１が捲装されることで形成される。
【００２６】
また、アンテナコイル１１の通信特性を高める観点から、平角線１１１は、図２（Ｄ）に示すように、平角線１１１の長辺Ｌが磁界のベクトルＢと平行になるようにして、コア基板１４の外周面１４ｂに捲装される。このようにして平角線１１１を捲装するのは、アンテナモジュール１が携帯通信用機器の筐体に配置される際の制約されたスペース内において、アンテナコイル１１の開口面積を小さくすることなく、平角線１１１を密に捲くことができ、平角線１１１の短辺Ｓを磁界のベクトルＢと平行になるように配設する場合に比べて、自己インダクタンスを上げることができるからである。
【００２７】
また、アンテナコイル１１として捲装された際に隣接する平角線の間で絶縁性が確保されるため、平角線１１１は、次のようなスペース材を介して捲装される。例えば、平角線１１１には、その長辺Ｌに平行な表面を基準とした膜厚ｄ１のスペース材として、有機物の絶縁材１１２が被覆される。また、捲装された平角線１１１を固定するため、アンテナモジュール１のアンテナコイル１１は、絶縁材１１２の表面を基準とした膜厚ｄ２のスペース材として、平角線１１１を被覆した絶縁材１１２の表面に接着剤１１３が塗布されてコア基板１４の外周面１４ｂに捲装されることで形成される。
【００２８】
なお、上述した平角線１１１を離間させるスペース材は、平角線１１１の長辺Ｌに平行な表面を基準とした線間隔ｄを調整できるように、上述した平角線１１１に絶縁材１１２を被覆する方法、捲装時に塗布される接着剤１１３を使用する方法のうち、少なくとも何れか一方を用いて形成すればよいが、以下では両方の方法を用いてスペース材を形成するものとして説明する。すなわち、線間隔ｄは、下記式で規定されるものとする。
ｄ＝ｄ１×２＋ｄ２
【００２９】
また、上述した絶縁材１１２と接着剤１１３とでは誘電率が異なるので、このような２種類のスペース材を用いることで線間隔ｄの誘電率を調整することができる。ここで、平角線１１１のスペース材としては、インダクタンスの低下を抑制するという観点から、誘電率が低い方が望ましい。例えば、絶縁材１１２としてＰＥＴ、接着剤１１３としてアクリル樹脂系接着剤（ＡＤＨ）を用いた場合、ＡＤＨの方が極性基が比較的多いため、絶縁材１１２に比べて接着剤１１３の誘電率が高くなる。よってこのような材料を用いた場合には、できるだけ絶縁材１１２の膜厚ｄ１に応じて平角線１１１の線間隔ｄを調整することが、平角線１１１の線間隔ｄの誘電体の誘電率を下げることができ、アンテナコイル１１の特性上望ましい。
【００３０】
また、コア基板１４は、当該コア基板１４の外周面１４ｂの幅を、平角線１１１の長辺Ｌと略同等とすることで、アンテナモジュール１の薄型化を図りつつ、アンテナコイル１１の形状の安定化を図ることができる。また、コア基板１４には、その開口部１４ａ側の壁面に、アンテナコイル１１の接続端子１１ａが設けられている。アンテナモジュール１は、接続端子１１ａをコア基板１４に設けることで、アンテナコイル１１の形状の安定化が実現される。
【００３１】
磁性膜１２は、コア基板１４の外周面１４ｂに形成されたアンテナコイル１１に重畳される。より具体的には、磁性膜１２は、コア基板１４の外周面１４ｂに形成されたアンテナコイル１１の形状に沿って、接着部材を用いて貼付されることで、容易にアンテナコイル１１に重畳することができる。
【００３２】
以上のような構成からなる本実施形態に係るアンテナモジュール１は、コア基板１４の外周面１４ｂに平角線１１１が捲装されることで、形状の安定化が図られたアンテナコイル１１が形成される。したがって、本実施形態では、平角線１１１などの汎用な材料を用いて、変形等に起因するアンテナコイルのインダクタンスの変化を抑えることができ、結果として、コストを抑えつつ通信特性が良好なアンテナモジュール１を提供することができる。
【００３３】
このようにして、本実施形態に係るアンテナモジュール１は、アンテナコイル１１の形状の安定化を図ることができるため、絶縁材１１２の膜厚ｄ１及び接着剤１１３の膜厚ｄ２に応じて、コア基板１４に捲装される平角線１１１の線間隔ｄを精度良く調整した状態で、離間して捲装することができる。これによって、本実施形態に係るアンテナモジュール１は、アンテナコイル１１に流れる電流方向に対して直交方向に隣接する平角線１１１で発生する近接効果に起因する抵抗成分を精度良く調整することができ、結果として、良好な通信特性を実現することができる。
【００３４】
＜携帯通信用機器への適用例＞
次に、具体例として、本実施形態に係るアンテナモジュール１を図３に示すような携帯電話機２００に組み込んだときの、アンテナモジュール１の通信特性について説明する。
【００３５】
アンテナモジュール１は、図３に示すような携帯電話機２００において、例えば二次電池投入部２０１に隣接して設けられたスピーカ２０２と、この携帯電話機２００の筐体の壁面との間に組み込まれる。
【００３６】
具体的に、アンテナモジュール１は、この携帯電話機２００に組み込まれる点を考慮して、アンテナコイル１１のインダクタンスが１〜２［μＨ］で管理するように、以下の材料を用いて各部が形成されるものとする。
【００３７】
すなわち、コア基板１４は、エポキシ樹脂からなる。また、アンテナコイル１１の開口面積を形状でゆるされる最大限とするため、磁界のベクトルＢに対して直交するアンテナモジュール１の表面形状上が縦４２．５［ｍｍ］×横２５［ｍｍ］となるように調整された略矩形形状のコア基板１４を用いるものとする。
【００３８】
また、平角線１１１は、短辺Ｓが０．０５〜０．３［ｍｍ］、長辺Ｌが０．２〜1［ｍｍ］の範囲で選択可能であるものとする。また、平角線１１１の断面形状を考慮すると、アンテナコイル１１として形成されるときの巻き線数は３〜６の範囲で選択可能であるが、本適用例に係るアンテナコイル１１の巻き線数は４であるものとする。平角線１１１は、単位長さ当たりの抵抗値が１０［μΩ／ｍ］以下が好ましく、この導電特性に応じた材料を用いるものとする。また、平角線１１１には、その長辺Ｌで規定される表面を基準とした膜厚ｄ１が２０［μｍ］の絶縁材１１２が被覆されているものとする。
【００３９】
また、磁性膜１２は、その磁性材の透磁特性μ’が３０から１５０、μ’’が０．１から２５が好ましい点を考慮して、Ｆｅ−Ｓｉ−Ｃｒ系を磁性材とし、ＲＦＩＤなどの近距離無線通信で使用される代表的な磁界の発信周波数が１３．５６ＭＨｚのときの透磁特性μ’が４０、μ’’が１であるものを用いる。また、磁性膜１２の膜厚は、２５０［μｍ］とする。なお、この膜厚は、０．１から３［ｍｍ］程度が、アンテナモジュール１として使用される点において好ましい。
【００４０】
また、平角線１１１を被覆した絶縁材１１２の表面を接着させる接着剤１１３としては、アクリル系ＡＤＨシートを用いるものとし、このシートの厚みにより、アンテナコイル１１として捲装された平角線１１１の線間隔ｄが調整されるものとする。より具体的には、接着剤１１３の膜厚ｄ２を調整することで、平角線１１１の線間隔ｄが、５０［μｍ］〜２５０［μｍ］の間で、アンテナコイル１１のインダクタンスが１〜２［μＨ］でアンテナコイル１１のＱ値が最大になる範囲に管理する。ここで、Ｑ値は、アンテナコイル１１の通信特性を評価する代表的な評価指標であって、ωＬ／Ｒで表現される値である。なお、ω［ｒａｄ／ｓ］はアンテナコイル１１の共振周波数であり、Ｌ［Ｈ］はアンテナコイル１１のインダクタンスの値であり、Ｒ［Ω］はアンテナコイル１１の抵抗値である。
【００４１】
以上のような設計条件下で、平角線１１１の線間隔ｄを変更したときの通信特性の変化を下記の表１に示す。
【００４２】
【表１】
2010147912.tif 000003
【００４３】
上記の表１から明らかなように、平角線１１１の線間隔ｄを変化させることでアンテナコイル１１の特性を変化させることができる。このような結果に基づいて、平角線１１１の線間隔ｄを横軸にとって、最大通信可能距離Ｔを縦軸にとって変化させたとき、図４のように通信特性が変化する。このように、平角線１１１の線間隔ｄを大きくすることによって最大通信可能距離Ｔが向上するのは、隣接する平角線１１１の線間隔ｄが大きくなると近接効果を低減することができ、結果としてアンテナコイル１１の抵抗値が減少してＱ値を高くすることができるからである。
【００４４】
例えば、好適な最大通信可能距離Ｔを１００［ｍｍ］とした場合、アンテナコイル１１が、コア基板１４の外周面に平角線１１１が、７０［μｍ］以上の線間隔ｄで離間して捲装されることで形成されればよい。しかし、この線間隔ｄが２５０［μｍ］以上とした場合には、逆にアンテナコイル１１の開口面積を小さくしてしまうので、インダクタンスも低下するため、実際に携帯電話機２００に組み込むという観点から好ましくない。また、図４に示すように、線間隔ｄが１５０［μｍ］までは線間隔ｄの増加に応じて最大通信可能距離Ｔも長くなるが、線間隔ｄが１５０［μｍ］以上になると最大通信可能距離が１１０［ｍｍ］で飽和してしまう。したがって、７０［μｍ］以上、１５０［μｍ］以下の範囲内で線間隔ｄを選択するように、絶縁材１１２及び接着剤１１３のうち何れか一方の膜厚を調整すれば、特性上良好なアンテナコイルを形成することができる。
【００４５】
また、平角線１１１の長辺Ｌが磁界の方向と平行になるような状態で、平角線１１１の形状を変化させたときの通信特性の変化を下記の表２に示す。
【００４６】
【表２】
2010147912.tif 000004
【００４７】
また、平角線１１１の線間隔ｄが９０［μｍ］の条件下で、平角線１１１の断面積、短辺Ｓに対する長辺Ｌの比率を変化させたときの通信特性の変化を下記の表３に示す。
【００４８】
【表３】
2010147912.tif 000005
【００４９】
上記の表２、３から明らかなように、平角線１１１の長辺Ｌが磁界の方向と平行になるような状態で、長辺Ｌと短辺Ｓとを変化させた場合には、平角線１１１の断面積が大きくなるのに伴って、コイルの抵抗値が下がり最大通信可能距離Ｔが長くなる傾向にある。しかし、平角線１１１の線間隔ｄが９０［μｍ］の条件下では、全てのアンテナモジュールにおいて、好適な通信条件である最大通信可能距離Ｔが１００［ｍｍ］以上の条件を満たしている。すなわち、平角線１１１の長辺Ｌが磁界のベクトルＢの方向と平行になるような状態でアンテナコイル１１が形成されることで、平角線１１１の線間隔ｄを適切な値に調整すれば、好適な通信条件を満たすことができる。
【００５０】
また、上記の通信特性の評価においては、Ｑ値を用いて説明したが、アンテナモジュールとリーダーライタに内蔵されたアンテナを対向させたときの相互インダクタンスからなる結合係数を評価指標として用いたときの通信特性について図５を参照して説明する。
【００５１】
図５は、次の３種類のアンテナモジュールにおいて、発信周波数が１３．５６ＭＨｚのときの通信距離に応じた結合係数の変化を示した図である。すなわち、アンテナモジュールに係る外形のサイズ、Ｑ値が同様の条件下で、アンテナを形成するための材料として、「平角線」、「リジット基板」、「フレキシブルプリント基板ＦＰＣ」を用いている。
【００５２】
図５から明らかなように、結合係数を評価指標としてみても、本実施形態に係る「平角線」をアンテナを形成するための材料として用いた結合形数の変化は、他の２種類のアンテナモジュールに比べて結合係数が高く維持されている。
【００５３】
したがって、本実施形態に係るアンテナモジュール１は、Ｑ値が同様である他の材料を用いてアンテナコイルを形成したアンテナモジュールと比べて、結合係数が高いので、より良好な通信特性をコストを抑えつつ実現することができる。
【００５４】
このようにして、本実施形態に係る「平角線」を用いたアンテナモジュールが結合係数が高いのは、平角線１１１の長辺Ｌを磁界のベクトルＢの方向と平行になるようにしてコア基板１４に捲装することで、他のアンテナモジュールに比べて開口面積を広くすることができるからである。
【００５５】
以上のように、本実施の形態に係るアンテナモジュール１は、コア基板１４の外周面に平角線１１１が捲装されることで、形状の安定化が図られたアンテナコイルを形成することができる。さらに、アンテナモジュール１は、精度良くアンテナコイル１１として捲装される平角線１１１の線間隔ｄを調整することができ、結果として好適な通信特性を、汎用な材料を用いてコストを抑えつつ実現することができる。
【００５６】
特に、平角線１１１の長軸径が磁界の方向と平行となるような状態で、線間隔ｄを精度良く調整しながら平角線１１１を捲装してアンテナコイル１１を形成する場合には、形状の安定化が必要である。この観点からも、アンテナモジュール１は、コア基板１４を用いることによって、容易に通信特性が良好なアンテナモジュール１を実現することができる。
【図面の簡単な説明】
【００５７】
【図１】無線通信システムの全体構成を示す図である。
【図２】アンテナモジュールに係る構成を示す図である。
【図３】携帯電話機に組み込まれたアンテナモジュールの構成を示す図である。
【図４】平角線の線間隔に応じた通信特性の変化を示す図である。
【図５】最大通信可能距離に応じた結合係数の変化を示す図である。
【符号の説明】
【００５８】
１  アンテナモジュール、１１  アンテナコイル、１１１  平角線、１１２  絶縁材、１１３  接着剤、１１ａ  接続端子、１２  磁性膜、１３  通信処理部、１４  コア基板、１４ａ  開口部、１４ｂ  外周面、２  リーダーライター、２ａ  アンテナ、２ｂ  制御基板、１００  無線通信システム、２００  携帯電話機、２０１  二次電池投入部、２０２  スピーカ
【図１】
2010147912.tif 000006
【図２】
2010147912.tif 000007
【図３】
2010147912.tif 000008
【図４】
2010147912.tif 000009
【図５】
2010147912.tif 000010